(57)【要約】【課題】  本発明は、パーソナルコンピュータ等の電子機器、およびその電子機器用の部品に関し、部品に設けられたケーブル挿通用の穴の寸法に比しその穴へのケーブル挿通の作業性を向上させる部品、およびその部品が搭載された電子機器を提供する。【解決手段】  ケーブル挿通用の第１の穴４１１ａと締結部品挿通用の第２の穴４１１ｂとが設けられるとともに、第２の穴４１１ｂが、第１の穴４１１ａへのケーブル挿通時にケーブル４３の一部を受け入れるように第１の穴４１１ａと繋がった穴である部品４１１を備えた。【選択図】        図１２
2008140342.tif 000002
【特許請求の範囲】
【請求項１】
電子機器において、
ケーブル挿通用の第１の穴を有する部品を備え、
前記ケーブルは、前記第１の穴の径より幅広のコネクタ部と、前記第１の穴を挿通可能な幅を有するケーブル部とからなり、
前記部品は、前記第１の穴へのケーブル挿通時に該ケーブルのコネクタ部を受け入れ可能に前記第１の穴と繋がった第２の穴を有することを特徴とする電子機器。
【請求項２】
電子機器において、
ケーブル挿通用の第１の穴と締結部品挿通用の第２の穴とが設けられるとともに、該第２の穴が、該第１の穴へのケーブル挿通時に該ケーブルの一部を受け入れるように該第１の穴と繋がった穴である部品を備えたことを特徴とする電子機器。
【請求項３】
当該電子機器が、互いに開閉する第１のユニットおよび第２のユニットと、これら第１のユニットおよび第２ユニットとを開閉自在に繋ぐとともに、これら第１ユニットおよび第２ユニットを、開閉の任意の状態で支持するヒンジ部材とを備え、
前記部品が、前記第１のユニットと前記第２のユニットとの間に延びるケーブルが挿通されて前記ヒンジ部材に固定される部品であることを特徴とする請求項１または２記載の電子機器。
【請求項４】
前記部品が、前記第２の穴を挿通したネジにより、前記ヒンジ部材にネジ止めされるものであることを特徴とする請求項３記載の電子機器。
【請求項５】
前記部品が、前記第１の穴へのケーブルの挿通により該ケーブルの配線ルートを規制するとともに、前記ヒンジ部材に固定されて該ヒンジ部材が外観に現われるのを覆う部品であることを特徴とする請求項３記載の電子機器。
【請求項６】
ケーブル挿通用の第１の穴を有する電子機器用の部品であって、
前記ケーブルは、前記第１の穴の径より幅広のコネクタ部と、前記第１の穴を挿通可能な幅を有するケーブル部とからなり、
前記第１の穴へのケーブル挿通時に該ケーブルのコネクタ部を受け入れ可能に前記第１の穴と繋がった第２の穴を有することを特徴とする部品。
【請求項７】
電子機器用の部品であって、
ケーブル挿通用の第１の穴と締結部品挿通用の第２の穴とが設けられるとともに、該第２の穴が、該第１の穴へのケーブル挿通時に該ケーブルの一部を受け入れるように該第１の穴と繋がった穴であることを特徴とする部品。
【請求項８】
当該電子機器が、互いに開閉する第１のユニットおよび第２のユニットと、これら第１のユニットおよび第２ユニットとを開閉自在に繋ぐとともに、これら第１ユニットおよび第２ユニットを、開閉の任意の状態で支持するヒンジ部材とを備えた電子機器であって、
当該部品が、前記第１のユニットと前記第２のユニットとの間に延びるケーブルが挿通されて前記ヒンジ部材に固定される部品であることを特徴とする請求項５記載の部品。
【発明の詳細な説明】
【技術分野】
【０００１】
本発明は、パーソナルコンピュータ等の電子機器、およびその電子機器用の部品に関する。
【背景技術】
【０００２】
近年、パーソナルコンピュータ（以下、「ＰＣ」と略記する）等の電子機器の小型化、軽量化、および高機能化が急速に進んでいる。しかしながら、その電子機器の内部には、電子部品どうしをつなぐ多数のケーブルが配設されているのが現状である。例えば上面にキーボードを備え内部に演算回路が搭載された本体ユニットと、表示画面を備えた表示ユニットとがヒンジ結合により開閉自在に構成されたノート型パーソナルコンピュータ（以下、「ノートＰＣ」と略記する）においては、本体ユニットと表示ユニットとに跨がって延在するケーブルが存在しているのが普通である。
【０００３】
そのような、電子機器内部に延在するケーブルは、その電子機器内部での配線ルートが規制されている。
【０００４】
例えば、特許文献１には、プリント配線板にケーブルガイド用溝を設け、そのケーブルの途中部分をその溝に嵌め込むことにより、ケーブルの配線ルートを規制する方法が開示されている。
【０００５】
また、特許文献２には、支持板中央の挿通孔にケーブルを通すことによりそのケーブルの配線ルートを規制する方法が開示されている。
【０００６】
また、ノートＰＣには、本体ユニットと表示ユニットとに跨って延びるケーブルの配線ルートを規制する方法として、本体ユニットと表示ユニットをヒンジ結合するヒンジ部材を覆ってそのヒンジ部品が外観に現れるのを防ぐ化粧部品にケーブル挿通用の穴を設けておき、ケーブルをその穴に通すことによりケーブルの配線ルートを規制する方法が採用されることがある。
【特許文献１】登録実用新案公報第３００１０５６号公報
【特許文献２】特開昭５３−１３９１９９号公報
【発明の開示】
【発明が解決しようとする課題】
【０００７】
しかしながら、本体ユニットと表示ユニットとの間に跨って延びるケーブルも多数本存在し、それら多数本のケーブルがばらばらになると組立て上不便であることから、それら多数本のケーブルを一体的に１つのコネクタに接続したケーブル等が採用されることが多く、そのケーブルを化粧部品に設けられた穴に挿通させようとするとその化粧部品の穴が小さいと作業性が悪く、大きな穴を設けようとするとその化粧部品が大型化してデザイン上好ましくなく、また、その化粧部品だけにとどまらず装置全体の大型化、重量化につながるおそれがある。
【０００８】
このような問題は、ノートＰＣのヒンジ部分に延在するケーブルの配線ルートを規制する場合に特有なものではなくて、部品に設けた穴にケーブルを挿通させることによってケーブルの配線ルートを規制する部分に一般的に問題となることである。
【０００９】
上掲の特許文献２には、挿通孔にケーブルを挿通させるにあたり、その挿通孔にケーブルの先端から挿通させていくことの作業性の悪さを解消するために、その挿通孔につながるスリットを設けておき、ケーブルの途中部分でそのスリットを経由して挿通孔に嵌入させる技術が開示されているが、この場合、そのスリットを通ってケーブルが挿通孔から外れるおそれがあり、特に可動部の配線には不向きである。
【００１０】
本発明は、上記事情に鑑み、部品に設けられたケーブル挿通用の穴の寸法に比しその穴へのケーブル挿通の作業性を向上させる部品、およびその部品が搭載された電子機器を提供することを目的とする。
【課題を解決するための手段】
【００１１】
上記目的を達成する本発明の電子機器は、ケーブル挿通用の第１の穴を有する部品を備え、前記ケーブルは、前記第１の穴の径より幅広のコネクタ部と、前記第１の穴を挿通可能な幅を有するケーブル部とからなり、前記部品は、前記第１の穴へのケーブル挿通時に該ケーブルのコネクタ部を受け入れ可能に前記第１の穴と繋がった第２の穴を有することを特徴とする。
【００１２】
また、上記目的を達成する本発明の電子機器は、ケーブル挿通用の第１の穴と締結部品挿通用の第２の穴とが設けられるとともに、第２の穴が、第１の穴へのケーブル挿通時にそのケーブルの一部を受け入れるように第１の穴と繋がった穴である部品を備えたことを特徴とする。
【００１３】
本発明の電子機器は、第１の穴と第２の穴が繋がっていて、第１の穴へのケーブル挿通時に第２の穴がそのケーブルの一部を受け入れ、ケーブルの挿通が容易となる。ケーブル挿通後は、第２の穴に締結部品が挿通される。
【００１４】
ここで、本発明の電子機器において、当該電子機器が、互いに開閉する第１のユニットおよび第２のユニットと、これら第１のユニットおよび第２ユニットとを開閉自在に繋ぐとともに、これら第１ユニットおよび第２ユニットを、開閉の任意の状態で支持するヒンジ部材とを備え、上記部品が、第１のユニットと第２のユニットとの間に延びるケーブルが挿通されてヒンジ部材に固定される部品であってもよい。
【００１５】
本発明は、第１のユニットと第２のユニットとのヒンジ結合部分等の可動部に好適に採用することができる。
【００１６】
本発明をヒンジ結合部に適用した場合において、上記部品が、第２の穴を挿通したネジにより、上記ヒンジ部材にネジ止めされるものであってもよく、また、上記部品が、第１の穴へのケーブルの挿通によりケーブルの配線ルートを規制するとともに、ヒンジ部材に固定されてヒンジ部材が外観に現われるのを覆う部品であってもよい。
【００１７】
また、上記目的を達成する本発明の部品は、ケーブル挿通用の第１の穴を有する電子機器用の部品であって、前記ケーブルは、前記第１の穴の径より幅広のコネクタ部と、前記第１の穴を挿通可能な幅を有するケーブル部とからなり、前記第１の穴へのケーブル挿通時に該ケーブルのコネクタ部を受け入れ可能に前記第１の穴と繋がった第２の穴を有することを特徴とする。
【００１８】
また、上記目的を達成する本発明の部品は、電子機器用の部品であって、ケーブル挿通用の第１の穴と締結部品挿通用の第２の穴とが設けられるとともに、第２の穴が、第１の穴へのケーブル挿通時にそのケーブルの一部を受け入れるように第１の穴と繋がった穴であることを特徴とする。
【００１９】
ここで、当該電子機器が、互いに開閉する第１のユニットおよび第２のユニットと、これら第１のユニットおよび第２ユニットとを開閉自在に繋ぐとともに、これら第１ユニットおよび第２ユニットを、開閉の任意の状態で支持するヒンジ部材とを備えた電子機器であって、当該部品が、第１のユニットと第２のユニットとの間に延びるケーブルが挿通されてヒンジ部材に固定される部品であってもよく、その場合に、当該部品が、第２の穴を挿通したネジにより、ヒンジ部材にネジ止めされるものであってもよい。また、当該部品が、第１の穴へのケーブルの挿通によりケーブルの配線ルートを規制するとともに、ヒンジ部材に固定されてヒンジ部材が外観に現われるのを覆う部品であってもよい。
【発明の効果】
【００２０】
以上の本発明によれば、部品に設けられたケーブル挿通用の穴の寸法に比べ、その穴へのケーブルの挿通性が向上する。
【発明を実施するための最良の形態】
【００２１】
以下、本発明の実施形態について説明する。ここでは、本発明の電子機器の一例としてのノートＰＣについて説明する。
【００２２】
図１は、開状態にあるノートＰＣの斜視図、図２は閉状態にあるノートＰＣの斜視図である。
【００２３】
このノートＰＣ１０は、本体ユニット２０と表示ユニット３０とから構成されており、表示ユニット３０は、本体ユニット２０の奥側で、本体ユニット２０に開閉自在にヒンジ接続されている。
【００２４】
本体ユニット２０は、その筐体の内部に、ＣＰＵやその他の回路部品、ハードディスクを内蔵したハードディスクドライブユニット、ＣＤやＤＶＤが取出し自在に装填されてアクセスされるディスクドライブユニット、ＰＣカードが挿入されてアクセスされるＰＣカードスロット、様々なタイプのメモリカードが挿入されてアクセスされるメモリカードスロット、および、その他の様々な部品が備えられている。
【００２５】
また、この本体ユニット２０の上面には、キーボード２１、タッチパッド２２、タッチパッド用の左右の押ボタン２２１，２２２、それらの押ボタン２２１，２２２の中央に置かれた指紋センサ２３、電源ボタン２４、複数のファンクションボタン２５、複数の表示マーク２６、内部のスピーカの音を放出するための放音口２７１，２７２等が配置されている。
【００２６】
ここで、表示ランプ２６は、本体ユニット２０の上面のうちの上方を向いた面に設けられており、電源ボタン２４およびファンクションボタン２５は、操作性を考慮し、斜め手前を向いた面に設けられている。
【００２７】
また、表示ユニット３０には、その中央に大きく広がる表示画面３１が備えられている。
【００２８】
この表示ユニット３０は、後述するヒンジ部材により、本体ユニット２０にヒンジ接続されているが、そのヒンジ部材はこのノートＰＣ１０の外観にはあらわれないようにヒンジ部材には化粧部品４１１，４１２が固定されている。
【００２９】
図３は、図１，図２に示すノートＰＣの、一方の化粧部品４１１の部分を中心とした拡大図である。
【００３０】
この化粧部品４１１は、ネジ４２により、後述するヒンジ部材に固定されており、そのヒンジ部材が外観にあらわれないようにそのヒンジ部材を覆っている。
【００３１】
また、この化粧部品４１１は、後に示すように、その中央にケーブル挿通用の穴が設けられており、その穴内に、本体ユニット２０と表示ユニット３０との間に跨って延びるケーブルが挿通され、これにより、そのケーブルの配線ルートが規制されている。
【００３２】
図４は、図１，図２に示すノートＰＣの本体ユニット２０の上面からキーボード２１と化粧板２７を取り外して示した分解図である。
【００３３】
この図４には、本体ユニット２０からキーボード２１と化粧板２７が取り外された結果、本体ユニット２０の上蓋２９が、キーボード２１の下に隠れていた部分を含め、本体ユニット２０の上面にあらわれている。
【００３４】
図５は、図４に示すようにキーボード等を取り外した状態の本体ユニットから、さらにその本体ユニット２０の上面を覆う上蓋２９およびその上蓋２９に固定された部品を取り外して示した分解図である。
【００３５】
上蓋２９が取り外された結果、本体ユニット２０に内蔵されている各種の部品があらわれている。ここでは各種の部品への言及は省略するが、ここには化粧部品４１１に設けられたケーブル挿通用の穴４１１ａを通るケーブル４３が示されている。
【００３６】
図６は、図５に示す状態における化粧部品４１１の周りの拡大図である。
【００３７】
この図６には、化粧部品４１１に設けられたケーブル挿通用の穴４１１ａにケーブル４３が挿通されている状態が明瞭に示されている。この化粧部品４１１は、ネジ４２により、ヒンジ部材５１に固定されている。このヒンジ部材５１は、本体ユニット２０と表示ユニット３０との双方に固定され、それら本体ユニット２０と表示ユニット３０を開閉自在に繋ぐとともに、フリクションによりそれら本体ユニット２０および表示ユニット３０を開閉の任意の状態で支持する役割りを担っている。
【００３８】
図７は、図５，図６に示す状態からさらに本体ユニット２０自体を取り外して化粧部品４１１の周りを示した拡大図である。
【００３９】
ヒンジ部材５１は、本体ユニットに固定される本体ユニット側固定部５１１と、表示ユニットに固定される表示ユニット側固定部５１２と、それら本体ユニット側固定部５１１と表示ユニット側固定部５１２を所定のフリクションを持って回動自在に繋ぐ連結部５１３とから構成されており、化粧部品４１１は、その連結部５１３を覆うようにして、ネジ４２によりヒンジ部材５１にネジ止めされている。
【００４０】
また、ケーブル４３は、化粧部品４１１に設けられているケーブル挿通用の穴４１１ａを通り、本体ユニット２０と表示ユニット３０との間に延び、それら本体ユニットと表示ユニットを電気的に接続している。
【００４１】
図８，図９は、化粧部品単体を、それぞれ表側、裏側から示した斜視図である。
【００４２】
この化粧部品４１１には、ケーブル挿通用の穴４１１ａとネジ止め用の穴４１１ｂとが形成されており、それら２つの穴４１１ａ，４１１ｂはスリット４１１ｃにより相互に繋っている。また、この化粧部品４１１には、ヒンジ部材５１の一部を収容するための広い内部空間４１１ｄが形成されている。
【００４３】
図１０は、ヒンジ部材と化粧部品の位置関係を示した分解斜視図である。
【００４４】
化粧部品４１１は、その内部空間４１１ｄに、ヒンジ部材５１の連結部５１３の一部を収容し、ネジ止め用の穴４１１ｂが、ヒンジ部材５１に設けられたネジ穴５１４に重なる位置に重ねられる。
【００４５】
図１１，図１２は、化粧部品へのケーブル挿通の様子を示す図である。
【００４６】
このケーブル４３の先端には、そのケーブル４３が一列に並べられた状態で接続されたコネクタ４４が備えられている。このコネクタ４４はケーブル挿通用の穴４１１ａの径より幅広の形状をもち、該コネクタ４４に接続されるケーブル部は該穴４１１ａの径より幅狭となりうる形状をもつ。従って、化粧部品４１１のケーブル挿通用の穴４１１ａにこのケーブル先端のコネクタ４４を挿入するには、図１１に示すように、そのケーブル４３の一部がネジ止め用の穴４１１ｂにも入り込むようにして挿通される。これにより、このケーブル４３の先端部分を化粧部品４１１のケーブル挿通用の穴４１１ａに容易に挿入することができ、作業性の向上が図られている。
【００４７】
化粧部品４１１のケーブル挿通用の穴４１１ａにケーブル４３の先端部分を挿入した後は、図１２に示すように、ケーブル挿通用の穴４１１ａには十分な余裕があり、ケーブル４３をスムーズに挿通することができる。
【００４８】
図１３は、ケーブルが挿通され、かつヒンジ部材上に配置された状態の化粧部品を示した斜視図である。
【００４９】
ケーブル４３は、化粧部品４１１に設けられたケーブル挿通用の穴４１１ａを通り、さらにヒンジ部材５１の表示ユニット側固定部５１２の窪み部５１２ａを通って延びている。この状態のケーブル４３の一端が本体ユニットの内部に接続され、他端が表示ユニットの内部に接続される。
【００５０】
図１４は、本体ユニット２０を覆う上蓋２９を図５に示すように取り外したときの、その上蓋２９の内側の面を示す斜視図である。
【００５１】
この上蓋２９の内側の面にもいくつかの部品が配置されているが、ここでは、これらの部品のうち、フレキシブル基板（後述する）が固定された基板固定部材６１を取り上げて説明する。
【００５２】
この基板固定部材６１は、上蓋２９の内面の、本体ユニット２０（例えば図５参照）の、表示ユニット３０との間でヒンジ接続された奥側に固定されている。
【００５３】
この図１４は、基板固定部材６１の、フレキシブル基板を支持する支持面に対する裏面側が示されている。
【００５４】
図１５は、基板固定部材６１を取り外した状態の上蓋２９の内面と、その上蓋２９から取り外された状態の基板固定部材６１とを示した分解斜視図である。ただし、この図１５では、基板固定部材６１は、フレキシブル基板６２を支持する側の面を上に向けた状態が示されている。
【００５５】
また、図１６は、フレキシブル基板６２が固定された状態の基板固定部材６１の拡大斜視図、図１７は、フレキシブル基板６２と基板固定部材６１とを分解して示した分解斜視図、図１８は、フレキシブル基板の裏面を示した斜視図である。
【００５６】
基板固定部材６１は、図１７に示すように、斜め前方を向いた第１の基板支持面６１１と、その第１の基板支持面６１１に隣接して設けられた、上方に向いた第２の基板支持面６１２を有する。すなわち、第１の基板支持面６１１と第２の基板支持面６１２は互いに所定の角度をもち隣接して基板固定部材６１に形成されている。一方、フレキシブル基板６２にも、基板固定部材６１の第１の基板支持面６１１および第２の基板支持面６１２にそれぞれ支持される第１の部分６２１および第２の部分６２２を有する。
【００５７】
フレキシブル基板６２の第１の部分６２１には、図１６に示すように、電源投入用の押ボタンスイッチ６２３、および２つのファンクションスイッチ６２４が並べられており、第２の部分６２２には、複数の発光素子６２５が並べられている。また、第２の部分６２２には、ネジ止め用の穴６２６が設けられており、さらに位置決め用の穴６２７が設けられている。
【００５８】
一方、基板固定部材６１の第２の基板支持面６１２には、フレキシブル基板６２に設けられたネジ止め用の穴６２６に対応する位置にネジ穴６１３が形成され、フレキシブル基板６２に設けられた位置決め用の穴６２７に対応する位置には位置決めボス６１４が立設している（図１７参照）。
【００５９】
また、基板固定部６１には、フレキシブル基板６２の第１の部分６２１の先端を係止する係止部６１５が設けられている。
【００６０】
また、図１８に示すようにフレキシブル基板６１の裏面には、そのフレキシブル基板６２の第１の部分６２１の裏面に相当する位置に第１の補強板６２８が貼り付けられており、フレキシブル基板６２の第２の部分６２２の裏面に相当する位置に第２の補強板６２９が貼り付けられている。
【００６１】
これら第１の補強板６２８と第２の補強板６２９は互いに別体の補強板であり、フレキシブル基板６２の、第１の補強板６２８と第２の補強板６２９との隙間の部分が可撓性を有し、その隙間の部分が折れ曲がることにより、第１の部分６２１が基板固定部材６１の第１の基板支持面６１１に安定的に支持されるとともに、第２の部分６２２が基板固定部材６１の第２の基板支持面６１２に安定的に支持される。
【００６２】
フレキシブル基板６２を基板固定部材６１上に固定させるにあたっては、フレキシブル基板６２の第１の部分６２１の先端（第１の補強板６２８の先端）を基板固定部材６１の第１の基板支持面６１１に設けられた係止部６１５に係止させるとともに、フレキシブル基板６２の第２の部分６２２に設けられた位置決め用の穴６２７に、基板固定部材６１の第２の基板支持面６１２に設けられた位置決め用ボス６１４が嵌入するように、そのフレキシブル基板６２の第２の部分６２２を基板固定部材６１の第２の基板支持面６１２の上に置く。こうすると、フレキシブル基板６２の第２の部分６２２に設けられたネジ止め用の穴６２６が基板固定部材６１の第２の支持面に設けられたネジ穴６１３と重なるので、そのネジ止め用の穴６２６およびネジ穴６１３を使って、フレキシブル基板６２を基板固定部材６１にネジ止めする。このように、フレキシブル基板６２の第１の部分６２１については係止させるにとどめ第２の部分６２２のみネジ止めする構造としたことで、容易に組立てることができる。尚、位置決め用の穴６２７および位置決め用ボス６１４はこれらを設けた方が作業性が一層向上するものの、ネジ止め用の穴６２６とネジ穴６１３との位置合わせはさほど難しくはなく、したがって位置決め用の穴６２７および位置決め用ボス６１４は必ずしも必要ではない。
【００６３】
図１９は、本体ユニット２０の上面を覆う上蓋２９（例えば図５参照）の、基板固定部材６１が固定された部分の表側の面を示した拡大図である。
【００６４】
この上蓋２９には、この上蓋２９の裏面側に固定された基板固定部材６１（図１４参照）に固定されているフレキシブル基板６２（図１６参照）上の電源投入用の押ボタンスイッチ６２３に対応する位置には、押下を受けてその押ボタンスイッチ６２３を押す電源ボタン２４と、フレキシブル基板６２上の２つのファンクションスイッチ６２４に対応する位置には、押下を受けて対応するファンクションスイッチ６２４を押す２つのファンクションボタン２５が配置されている。
【００６５】
これらの電源ボタン２４およびファンクションボタン２５は、斜め下に押下されることから、フレキシブル基板６２上の押ボタンスイッチ６２３およびファンクションスイッチ６２４は、基板固定部材６１の、斜め前方を向いた第１の基板支持面６１１に支持される、フレキシブル基板６２の第１の部分６２１に搭載されている。
【００６６】
また、この上蓋２９は、光を散乱透過させる白系のプラスチック材料で形成されており、この上蓋２９の、フレキシブル基板６２の第２の部分６２２を覆う部分であって、フレキシブル基板６２上に並べられた発光素子６２５（図１６参照）の直上の部分には、その発光素子６２５の発光の意味を想起させる各種の表示マーク２６が形成されている。フレキシブル基板６２上の発光素子６２５は、基板固定部材６１の、上方を向いた第２の基板支持面６１２に支持される、フレキシブル基板６２上の第２の部分６２２に搭載されており、これに対応して、上蓋２９に形成された各種の表示マーク２６は、その上蓋の、上方を向いた部分に形成されている。
【００６７】
以下に本発明を付記する。
【００６８】
（付記１）
電子機器において、
ケーブル挿通用の第１の穴を有する部品を備え、
前記ケーブルは、前記第１の穴の径より幅広のコネクタ部と、前記第１の穴を挿通可能な幅を有するケーブル部とからなり、
前記部品は、前記第１の穴へのケーブル挿通時に該ケーブルのコネクタ部を受け入れ可能に前記第１の穴と繋がった第２の穴を有することを特徴とする電子機器。
【００６９】
（付記２）
電子機器において、
ケーブル挿通用の第１の穴と締結部品挿通用の第２の穴とが設けられるとともに、該第２の穴が、該第１の穴へのケーブル挿通時に該ケーブルの一部を受け入れるように該第１の穴と繋がった穴である部品を備えたことを特徴とする電子機器。
【００７０】
（付記３）
当該電子機器が、互いに開閉する第１のユニットおよび第２のユニットと、これら第１のユニットおよび第２ユニットとを開閉自在に繋ぐとともに、これら第１ユニットおよび第２ユニットを、開閉の任意の状態で支持するヒンジ部材とを備え、
前記部品が、前記第１のユニットと前記第２のユニットとの間に延びるケーブルが挿通されて前記ヒンジ部材に固定される部品であることを特徴とする付記１または２記載の電子機器。
【００７１】
（付記４）
前記部品が、前記第２の穴を挿通したネジにより、前記ヒンジ部材にネジ止めされるものであることを特徴とする付記３記載の電子機器。
【００７２】
（付記５）
前記部品が、前記第１の穴へのケーブルの挿通により該ケーブルの配線ルートを規制するとともに、前記ヒンジ部材に固定されて該ヒンジ部材が外観に現われるのを覆う部品であることを特徴とする付記４記載の電子機器。
【００７３】
（付記６）
ケーブル挿通用の第１の穴を有する電子機器用の部品であって、
前記ケーブルは、前記第１の穴の径より幅広のコネクタ部と、前記第１の穴を挿通可能な幅を有するケーブル部とからなり、
前記第１の穴へのケーブル挿通時に該ケーブルのコネクタ部を受け入れ可能に前記第１の穴と繋がった第２の穴を有することを特徴とする部品。
【００７４】
（付記７）
電子機器用の部品であって、
ケーブル挿通用の第１の穴と締結部品挿通用の第２の穴とが設けられるとともに、該第２の穴が、該第１の穴へのケーブル挿通時に該ケーブルの一部を受け入れるように該第１の穴と繋がった穴であることを特徴とする部品。
【００７５】
（付記８）
当該電子機器が、互いに開閉する第１のユニットおよび第２のユニットと、これら第１のユニットおよび第２ユニットとを開閉自在に繋ぐとともに、これら第１ユニットおよび第２ユニットを、開閉の任意の状態で支持するヒンジ部材とを備えた電子機器であって、
当該部品が、前記第１のユニットと前記第２のユニットとの間に延びるケーブルが挿通されて前記ヒンジ部材に固定される部品であることを特徴とする付記６または７記載の部品。
【００７６】
（付記９）
当該部品が、前記第２の穴を挿通したネジにより、前記ヒンジ部材にネジ止めされるものであることを特徴とする付記８記載の部品。
【００７７】
（付記１０）
当該部品が、前記第１の穴へのケーブルの挿通により該ケーブルの配線ルートを規制するとともに、前記ヒンジ部材に固定されて該ヒンジ部材が外観に現われるのを覆う部品であることを特徴とする付記８記載の部品。
【図面の簡単な説明】
【００７８】
【図１】開状態にあるノートＰＣの斜視図である。
【図２】閉状態にあるノートＰＣの斜視図である。
【図３】図１，図２に示すノートＰＣの、一方の化粧部品の部分を中心とした拡大図である。
【図４】図１，図２に示すノートＰＣの本体ユニットの上面からキーボードと化粧板を取り外して示した分解図である。
【図５】図４に示すようにキーボード等を取り外した状態の本体ユニットからさらにその本体ユニットの上面を覆う上蓋およびその上蓋に固定された部品を取り外して示した分解図である。
【図６】図５に示す状態における化粧部品の周りの拡大図である。
【図７】図５，図６に示す状態からさらに本体ユニット自体を取り外して化粧部品の周りを示した拡大図である。
【図８】化粧部品単体を、表側から示した斜視図である。
【図９】化粧部品単体を、裏側から示した斜視図である。
【図１０】ヒンジ部材と化粧部品の位置関係を示した分解斜視図である。
【図１１】化粧部品へのケーブル挿通の様子を示す図である。
【図１２】化粧部品へのケーブル挿通の様子を示す図である。
【図１３】ケーブルが挿通され、かつヒンジ部材上に配置された状態の化粧部品を示した斜視図である。
【図１４】本体ユニットを覆う上蓋を図５に示すように取り外したときの、その上蓋の内側の面を示す斜視図である。
【図１５】基板固定部材を取り外した状態の上蓋の内面と、その上蓋から取り外された状態の基板固定部材とを示した分解斜視図である。
【図１６】フレキシブル基板が固定された状態の基板固定部材の拡大斜視図である。
【図１７】フレキシブル基板と基板固定部材とを分解して示した分解斜視図である。
【図１８】フレキシブル基板の裏面を示した斜視図である。
【図１９】本体ユニットの上面を覆う上蓋の、基板固定部材が固定された部分の表側の面を示した拡大図である。
【符号の説明】
【００７９】
１０    ノートＰＣ
２０    本体ユニット
２１    キーボード
２２    タッチパッド
２２１，２２２    押ボタン
２３    指紋センサ
２４    電源ボタン
２５    ファンクションボタン
２６    表示マーク
２７１，２７２    放音口
３０    表示ユニット
３１    表示画面
４１１，４１２    化粧部品
４１１ａ    ケーブル挿通用の穴
４１１ｂ    ネジ止め用の穴
４１１ｃ    スリット
４１１ｄ    内部空間
４２    ネジ
４３    ケーブル
５１    ヒンジ部材
５１１    本体ユニット側固定部
５１２    表示ユニット側固定部
５１３    連結部
５１４    ネジ穴
６１    基板固定部材
６１１    第１の基板支持面
６１２    第２の基板支持面
６１３    ネジ穴
６１４    位置決め用ボス
６１５    係止部
６２    フレキシブル基板
６２１    第１の部分
６２２    第２の部分
６２３    押ボタンスイッチ
６２４    ファンクションスイッチ
６２５    発光素子
６２６    ネジ止め用の穴
６２７    位置決め用の穴
６２８    第１の補強板
６２９    第２の補強板
【図１】
2008140342.tif 000003
【図２】
2008140342.tif 000004
【図３】
2008140342.tif 000005
【図４】
2008140342.tif 000006
【図５】
2008140342.tif 000007
【図６】
2008140342.tif 000008
【図７】
2008140342.tif 000009
【図８】
2008140342.tif 000010
【図９】
2008140342.tif 000011
【図１０】
2008140342.tif 000012
【図１１】
2008140342.tif 000013
【図１２】
2008140342.tif 000014
【図１３】
2008140342.tif 000015
【図１４】
2008140342.tif 000016
【図１５】
2008140342.tif 000017
【図１６】
2008140342.tif 000018
【図１７】
2008140342.tif 000019
【図１８】
2008140342.tif 000020
【図１９】
2008140342.tif 000021